(57)【要約】バルブ本体（１０）、バルブ本体（１０）内に取り付けられた内側バルブシート（６０）、及びバルブ本体（１０）内に取り付けられたバルブコア（２１）を備えるバルブ（１００）である。内側バルブシート（６０）は、環状本体（６０１）と環状本体（６０１）の内周面から内側に延びるシール構造（６０４）を有し、シール構造（６０４）は、バルブ（１００）が閉じた状態にあると、シール構造（６０４）がバルブ本体（１０）、内側バルブシート（６０）、およびバルブコア（２１）の間に形成された隙間をシールするように設置されている。当該バルブは、液体の排出に用いられる後に、バルブ内部に残る液体の量を大幅に減らすことができる。【選択図】図１
2020529562.tif 000002
【特許請求の範囲】
【請求項１】
バルブ本体、前記バルブ本体内に取り付けられた内側バルブシート、及び前記バルブ本体内に取り付けられたバルブコアを備えるバルブであって、前記内側バルブシートは、環状本体とシール構造を有し、前記シール構造は、前記バルブが閉じた状態にあると、前記シール構造が前記バルブ本体、前記内側バルブシート、および前記バルブコアの間に形成された隙間をシールするおよび／または充填するように設置されることを特徴とするバルブ。
【請求項２】
前記シール構造は、前記環状本体の内周面から内側に延びていることを特徴とする請求項１に記載のバルブ。
【請求項３】
前記シール構造は、前記環状本体の内周面全体に沿って内側に延びており、かつ弾性部および第１シール部が順に設けられ、前記第１シール部は、前記バルブが閉じた状態にあると、前記バルブコアの前記内側バルブシートに面する側面を押圧するように設置されることを特徴とする請求項１に記載のバルブ。
【請求項４】
前記第１シール部は、前記弾性部の末端から前記バルブコアに向かって突出していることを特徴とする請求項３に記載のバルブ。
【請求項５】
前記内側バルブシートは、メインシール部がさらに設けられ、前記メインシール部は、前記環状本体に設けられ、前記バルブが閉状態にあると、前記バルブコアの前記内側バルブシートに面する側面を押圧するように設置され、かつ前記メインシール部が前記バルブコアを押圧する位置は、前記第１シール部が前記バルブコアを押圧する位置よりも、径方向外側にあることを特徴とする請求項３に記載のバルブ。
【請求項６】
前記バルブコアの前記内側バルブシートに面する側面に第２シール部および第３シール部が設けられ、第２シール部は、前記第３シール部よりも径方向外側にあり、前記バルブが閉状態にあると、前記第２シール部が前記メインシール部と嵌め合い、前記第３シール部が前記第１シール部と嵌め合うことを特徴とする請求項５に記載のバルブ。
【請求項７】
前記バルブコアは前記バルブ本体にヒンジ結合され、かつ前記バルブは駆動ギアが設けられたハンドルと、従動ギアが設けられたバルブステムをさらに含み、前記駆動ギアは前記従動ギアとが嵌め合うことによって、前記ハンドルの回転によって前記バルブステムを駆動して回転させ、さらに前記バルブコアを駆動して回転させることを特徴とする請求項１に記載のバルブ。
【請求項８】
前記バルブコアは前記バルブ本体にヒンジ結合され、前記バルブはハンドルとバルブステムをさらに含み、前記ハンドルと前記バルブステムは異なる軸の回転軸線を有し、前記ハンドルと前記バルブステムは同期回転する伝達関係を持ち、前記ハンドルの回転は、バルブステムに伝動され、このバルブステムが同期回転角増幅動作を実行し、前記バルブコアを駆動して回転させることを特徴とする請求項１に記載のバルブ。
【請求項９】
前記バルブコアは前記バルブ本体にヒンジ結合され、前記バルブは駆動部材、位置決め部材、および弾性部材をさらに含み、前記位置決め部材は前記バルブコアに相対運動可能に取り付けられ、前記弾性部材は前記位置決め部材と前記バルブコアの間に取り付けられ、前記駆動部材と前記位置決め部材の離合することが可能な嵌め合い関係により、前記バルブは閉プロセス中に次の３つ伝達関係を持ち、
前記駆動部材は、前記弾性部材の弾性作用で、前記位置決め部材と嵌めあって、前記バルブコアを回転させて前記バルブコアを閉じる相対的静止的な第１伝達関係を形成し；第１伝達関係が終了すると、前記駆動部材および前記位置決め部材は、第１伝達関係から、前記駆動部材が前記位置決め部材を押圧して、前記位置決め部材をバルブコアに対して相対運動させる第２伝達関係に切り替えられ；そして第２伝達関係が終了すると、前記駆動部材および前記位置決め部材は、第２伝達関係から、前記駆動部材は前記位置決め部材が常に前記バルブ本体と嵌め合う状態にあるように、前記位置決め部材を張り出す状態に制御し、前記駆動部材は前記バルブコアを押圧してバルブの径方向にスクイーズ運動を行うことによって、前記バルブコアをシールロックする前記駆動部材と前記バルブコアとの第３伝達関係に切り替えられることを特徴とする請求項１に記載のバルブ。
【請求項１０】
バルブ本体、前記バルブ本体内に取り付けられて環状本体を有する内側バルブシート、及び前記バルブ本体内に取り付けられたバルブコアを備え、前記環状体には前記メインシール部が設けられており、前記メインシール部は、前記バルブが閉状態にあると、前記バルブコアの前記内側バルブシートに面する側面を押圧すように設置されているバルブであって、前記内側バルブシートは、前記環状本体の内周面から径方向内側に延びるシール構造をさらに有し、前記シール構造には、弾性部とシール部とが順に設けられ、前記シール部は前記バルブが閉じた状態にあると、前記バルブコアの前記内側バルブシートに面する側面が押圧され、かつ前記シール部が前記バルブコアを押圧する位置は前記メインシール部が前記バルブコアを押圧する位置よりも、径方向外側にあるように設置されることを特徴とするバルブ。
【請求項１１】
前記バルブコアは前記バルブ本体にヒンジ結合され、かつ前記バルブは駆動ギアが設けられたハンドルと、従動ギアが設けられたバルブステムをさらに含み、前記駆動ギアは前記従動ギアと嵌め合うことによって、前記ハンドルの回転によって前記バルブステムを駆動して回転させ、さらに前記バルブコアを駆動して回転させることを特徴とする請求項１０に記載のバルブ。
【請求項１２】
前記バルブコアは前記バルブ本体にヒンジ結合され、前記バルブはハンドルとバルブステムをさらに含み、前記ハンドルと前記バルブステムは異なる軸の回転軸線を有し、前記ハンドルと前記バルブステムは同期回転する伝達関係を持ち、前記ハンドルの回転は、バルブステムに伝動され、このバルブステムが同期回転角増幅動作を実行し、前記バルブコアを駆動して回転させることを特徴とする請求項１０に記載のバルブ。
【請求項１３】
前記バルブコアは前記バルブ本体にヒンジ結合され、前記バルブは駆動部材、位置決め部材、および弾性部材をさらに含み、前記位置決め部材は前記バルブコアに相対運動可能に取り付けられ、前記弾性部材は前記位置決め部材と前記バルブコアの間に取り付けられ、前記駆動部材と前記位置決め部材の離合することが可能な嵌め合い関係により、前記バルブは閉プロセス中に次の３つ伝達関係を持ち、
前記駆動部材は、前記弾性部材の弾性作用で、前記位置決め部材と嵌めあって、前記バルブコアを回転させて前記バルブコアを閉じる相対的静止的な第１伝達関係を形成し；第１伝達関係が終了すると、前記駆動部材および前記位置決め部材は、第１伝達関係から、前記駆動部材が前記位置決め部材を押圧して、前記位置決め部材をバルブコアに対して相対運動させる第２伝達関係に切り替えられ；そして第２伝達関係が終了すると、前記駆動部材および前記位置決め部材は、第２伝達関係から、前記駆動部材は前記位置決め部材を常に前記バルブ本体と嵌め合う状態にあるように、前記位置決め部材を張り出す状態に制御し、前記駆動部材は前記バルブコアを押圧してバルブの径方向にスクイーズ運動を行うことによって、前記バルブコアをシールロックする前記駆動部材と前記バルブコアとの第３伝達関係に切り替えられることを特徴とする請求項１０に記載のバルブ。
【請求項１４】
バルブ本体、内側バルブシート、バルブコアを備え、前記バルブコアと前記内側バルブシートは前記バルブ本体内に取り付けられており、前記バルブ本体には流路が形成され、前記バルブコアは前記バルブ本体に対して前記内側バルブシートを押圧するスクイーズ運動ができ、前記流路の軸線に沿う移動成分を持つように設置されるバルブであって、前記内側バルブシートは、前記バルブが閉じた状態にあると、前記内側バルブシートが前記内側バルブ座、前記バルブコア、及びバルブ本体の間に形成された隙間をシールするおよび／または充填するように設置されることを特徴とするバルブ。
【発明の詳細な説明】
【技術分野】
【０００１】
関連出願は相互に参照される。
【０００２】
本願は、２０１７年８月２日に出願された、出願番号が２０１７１０６５３１３４７であり、かつ発明名称が「バルブ」である中国出願に基づき優先権を主張し、上記出願の全文を参照によりここに援用する。
【０００３】
本発明は、バルブに関し、特に、物流輸送機器で使用されるバルブに関する。
【背景技術】
【０００４】
従来の中型容量バルクストレージコンテナーに使用されるバルブでは、基本的にバルブのシール面と外側のチャネルの間に多少の残留隙間があり、特に食品グレードの用途向けのバルブは、一旦洗浄できない隙間が残ったら、使用中の残留洗浄液およびその他の有害物質が細菌を繁殖させ、食品汚染の原因になり、事故につながる。
【０００５】
中国特許出願番号ＺＬ２０１１１０２６０８５１．６は、低トルクボールバルブを開示し、バルブが閉じられる状態で、バルブが前面から清掃等の動作がされると、洗浄液の一部は、バルブのバルブコアとバルブシート位置決め装置の間に残り、使用中の残留する洗浄液およびその他の有害物質が細菌を繁殖させ、食品汚染の原因になる可能性がある。
【先行技術文献】
【特許文献】
【０００６】
【特許文献１】中国特許出願番号ＺＬ２０１１１０２６０８５１．６
【発明の概要】
【発明が解決しようとする課題】
【０００７】
本発明の目的は、バルブ内に残留する液体を減少させるか、またはなくすことさえできるバルブを提供することにある。
【課題を解決するための手段】
【０００８】
上記目的を達成するために、本発明はバルブ本体、前記バルブ本体内に取り付けられた内側バルブシート、及び前記バルブ本体内に取り付けられたバルブコアを備えるバルブであって、前記内側バルブシートは、環状本体とシール構造を有し、前記シール構造は、前記バルブが閉じた状態にあると、前記シール構造が前記バルブ本体、前記内側バルブシート、および前記バルブコアの間に形成された隙間をシールするおよび／または充填するように設置されるバルブを提供する。
【０００９】
一実施例では、前記シール構造は、前記環状本体の内周面から内側に延びている。
【００１０】
一実施例では、前記シール構造は、前記環状本体の内周面全体に沿って内側に延びており、かつ弾性部および第１シール部が順に設けられ、前記第１シール部は、前記バルブが閉じた状態にあると、前記バルブコアの前記内側バルブシートに面する側面を押圧するように設置される。
【００１１】
一実施例では、前記第１シール部は、前記弾性部の末端から前記バルブコアに向かって突出している。
【００１２】
一実施例では、前記シール構造は、前記環状本体の内周面全体に沿って、径方向内側に延びている。
【００１３】
一実施例では、前記内側バルブシートは、メインシール部がさらに設けられ、前記メインシール部は、前記環状本体に設けられ、前記バルブが閉状態にあると、前記バルブコアの前記内側バルブシートに面する側面を押圧するように設置され、かつ前記メインシール部が前記バルブコアを押圧する位置は前記第１シール部が前記バルブコアを押圧する位置よりも、径方向外側にある。
【００１４】
一実施例では、前記バルブコアの前記内側バルブシートに面する側面に第２シール部および第３シール部が設けられ、第２シール部は、前記第３シール部よりも径方向外側にあり、前記バルブが閉状態にあると、前記第２シール部が前記メインシール部と嵌め合い、前記第３シール部が前記第１シール部と嵌め合う。
【００１５】
一実施例では、前記バルブコアは前記バルブ本体にヒンジ結合され、かつ前記バルブは駆動ギアが設けられたハンドルと、従動ギアが設けられたバルブステムをさらに含み、前記駆動ギアは前記従動ギアと嵌め合うことによって、前記ハンドルの回転によって前記バルブステムを駆動して回転させ、さらに前記バルブコアを駆動して回転させる。
【００１６】
一実施例では、前記バルブはさらに駆動部材を含み、前記駆動部材は前記バルブステムに固定して接続され、前記バルブコアに接続部が設けられ、前記接続部には第１溝が設けられ、前記駆動部材は前記第１溝内に取り付けられ、前記駆動部材に吊りテーブルが設けられ、吊りテーブル嵌め合い面が前記第１溝内に設けられ、前記バルブステムの回転により前記駆動部材を駆動して回転させ、前記吊りテーブルと前記吊りテーブル嵌め合い面とが嵌め合うことによって、前記バルブの開放を実現する。
【００１７】
一実施例では、前記駆動部材には第１バルブステム取付穴が設けられ、前記接続部の前記第１溝の両側には第２バルブステム取付穴が設けられ、前記バルブステムを前記第１バルブステム取付穴と第２バルブステム取付穴内に差し入れることによって、前記バルブステムの回転により前記駆動部材を駆動して回転させる。
【００１８】
一実施例では、前記バルブ本体内にはバルブコア取付部が設けられ、前記バルブコア取付部には第２溝が設けられ、前記第２溝の両側にはバルブステム位置決め穴が設けられ、前記バルブコアの前記接続部は前記第２溝内に取り付けられ、前記バルブステムは前記バルブステム位置決め穴、前記第１バルブステム取り付け穴、前記第２バルブステム取り付け穴、前記接続部を通過することによって、前記バルブコアが前記バルブ本体内に回転可能に取り付けられている。
【００１９】
一実施例では、前記バルブコアは前記バルブ本体にヒンジ結合され、前記バルブはハンドルとバルブステムをさらに含み、前記ハンドルと前記バルブステムは異なる軸の回転軸線を有し、前記ハンドルと前記バルブステムは同期回転する伝達関係を持ち、前記ハンドルの回転は、バルブステムに伝動され、このバルブステムが同期回転角増幅動作を実行し、前記バルブコアを駆動して回転させる。
【００２０】
一実施例では、前記ハンドルには駆動ギアが設けられ、前記バルブステムには従動ギアが設けられており、前記駆動ギアは前記従動ギアに嵌め合い、前記ハンドルの回転により前記バルブステムを駆動して回転させ、さらに前記バルブコアを駆動して回転させる。
【００２１】
一実施例では、前記バルブはさらに駆動部材を含み、前記駆動部材は前記バルブステムに固定して接続され、前記バルブコアに接続部が設けられ、前記接続部には第１溝が設けられ、前記駆動部材は前記第１溝内に取り付けられ、前記駆動部材に吊りテーブルが設けられ、吊りテーブル嵌め合い面が前記第１溝内に設けられ、前記バルブステムの回転により前記駆動部材を駆動して回転させ、前記吊りテーブルと前記吊りテーブル嵌め合い面とが嵌め合うことによって、前記バルブの開放を実現する。
【００２２】
一実施例では、前記駆動部材には第１バルブステム取付穴が設けられ、前記接続部の前記第１溝の両側には第２バルブステム取付穴が設けられ、前記バルブステムは前記第１バルブステム取付穴と第２バルブステム取付穴内に差し入れることによって、前記バルブステムの回転により前記駆動部材を駆動して回転させる。
【００２３】
一実施例では、前記バルブ本体内にはバルブコア取付部が設けられ、前記バルブコア取付部には第２溝が設けられ、前記第２溝の両側にはバルブステム位置決め穴が設けられ、前記バルブコアの前記接続部は前記第２溝内に取り付けられ、前記バルブステムは前記バルブステム位置決め穴、前記第１バルブステム取り付け穴、前記第２バルブステム取り付け穴、前記接続部を通過することによって、前記バルブコアが前記バルブ本体内に回転可能に取り付けられている。
【００２４】
一実施例では、前記バルブコアは前記バルブ本体にヒンジ結合され、前記バルブは駆動部材、位置決め部材、および弾性部材をさらに含み、前記位置決め部材は前記バルブコアに相対運動可能に取り付けられ、前記弾性部材は前記位置決め部材と前記バルブコアの間に取り付けられ、前記駆動部材と前記位置決め部材の離合することが可能な嵌め合い関係により、前記バルブは閉じられる過程中に次の３つ伝達関係を持ち、
前記駆動部材は、前記弾性部材の弾性作用で、前記位置決め部材と嵌めあって、前記バルブコアを回転させて前記バルブコアを閉じる相対的静止的な第１伝達関係を形成し；第１伝達関係が終了すると、前記駆動部材および前記位置決め部材は、第１伝達関係から、前記駆動部材が前記位置決め部材を押圧して、前記位置決め部材をバルブコアに対して相対運動させる第２伝達関係に切り替えられ；そして第２伝達関係が終了すると、前記駆動部材および前記位置決め部材は、第２伝達関係から、前記駆動部材は前記位置決め部材を常に前記バルブ本体と嵌め合う状態にあるように、前記位置決め部材を張り出す状態に制御し、前記駆動部材は前記バルブコアを押圧してバルブの径方向にスクイーズ運動を行うことによって、前記バルブコアをシールロックする前記駆動部材と前記バルブコアとの第３伝達関係に切り替えられる。
【００２５】
本願はバルブ本体、前記バルブ本体内に取り付けられて環状本体を有する内側バルブシート、及び前記バルブ本体内に取り付けられたバルブコアを備え、前記環状体には前記メインシール部が設けられており、前記メインシール部は、前記バルブが閉状態にあると、前記バルブコアの前記内側バルブシートに面する側面を押圧すように設置されているバルブであって、前記内側バルブシートは、前記環状本体の内周面から径方向内側に延びるシール構造をさらに有し、前記シール構造には、弾性部とシール部とが順に設けられ、前記シール部は前記バルブが閉じた状態になると、前記バルブコアの前記内側バルブシートに面する側面が押圧され、かつ前記シール部が前記バルブコアを押圧する位置は前記メインシール部が前記バルブコアを押圧する位置よりも、半径方向内側にあるように設置されるバルブを提供する。
【００２６】
一実施例では、前記バルブコアは前記バルブ本体にヒンジ結合され、かつ前記バルブは駆動ギアが設けられたハンドルと、従動ギアが設けられたバルブステムをさらに含み、前記駆動ギアは前記従動ギアと嵌め合うことによって、前記ハンドルの回転によって前記バルブステムを駆動して回転させ、さらに前記バルブコアを駆動して回転させる。
【００２７】
一実施例では、前記バルブコアは前記バルブ本体にヒンジ結合され、前記バルブはハンドルとバルブステムをさらに含み、前記ハンドルと前記バルブステムは異なる軸の回転軸線を有し、前記ハンドルと前記バルブステムは同期回転する伝達関係を持ち、前記ハンドルの回転は、バルブステムに伝動され、このバルブステムが同期回転角増幅動作を実行し、前記バルブコアを駆動して回転させる。
【００２８】
一実施例では、前記バルブコアは前記バルブ本体にヒンジ結合され、前記バルブは駆動部材、位置決め部材、および弾性部材をさらに含み、前記位置決め部材は前記バルブコアに相対運動可能に取り付けられ、前記弾性部材は前記位置決め部材と前記バルブコアの間に取り付けられ、前記駆動部材と前記位置決め部材の離合することが可能な嵌め合い関係により、前記バルブは閉じられる過程中に次の３つ伝達関係を持ち、
前記駆動部材は、前記弾性部材の弾性作用で、前記位置決め部材と嵌めあって、前記バルブコアを回転させて前記バルブコアを閉じる相対的静止的な第１伝達関係を形成し；第１伝達関係が終了すると、前記駆動部材および前記位置決め部材は、第１伝達関係から、前記駆動部材が前記位置決め部材を押圧して、前記位置決め部材をバルブコアに対して相対運動させる第２伝達関係に切り替えられ；そして第２伝達関係が終了すると、前記駆動部材および前記位置決め部材は、第２伝達関係から、前記駆動部材は前記位置決め部材を常に前記バルブ本体と嵌め合う状態にあるように、前記位置決め部材を張り出す状態に制御し、前記駆動部材は前記バルブコアを押圧してバルブの径方向にスクイーズ運動を行うことによって、前記バルブコアをシールロックする前記駆動部材と前記バルブコアとの第３伝達関係に切り替えられる。
【００２９】
本願は、バルブ本体、内側バルブシート、バルブコアを備え、前記バルブコアと前記内側バルブシートは前記バルブ本体内に取り付けられており、前記バルブには流路が形成され、前記バルブコアは前記バルブ本体に対して前記内側バルブシートを押圧するスクイーズ運動ができ、前記流路の軸線に沿っている移動成分を持つように設置されるバルブであって、前記内側バルブシートは、前記バルブが閉じた状態になると、前記内側バルブシートが前記内側バルブ座、前記バルブコア、及びバルブ本体の間に形成された隙間をシールするおよび／または充填するように設置されるバルブをさらに提供する。
【発明の効果】
【００３０】
本願のバルブは、液体がバルブ本体、バルブコア、内側バルブシートの間の隙間に侵入するのを防ぐシール構造を備えているため、バルブ内に残留する液体を大幅に減らし、汚染を減らすことができる。
【図面の簡単な説明】
【００３１】
【図１】本発明の一実施例に係るバルブの断面図であり、バルブが閉じられて密閉された状態にある。
【図２】本発明の一実施例に係るバルブの分解図である。
【図３】本発明の一実施例に係るバルブコアアセンブリの分解図である。
【図４】本発明の一実施例に係る駆動部材の斜視図である。
【図４Ａ】本発明の一実施例に係る駆動部材の左側面図である。
【図５】本発明の一実施例に係るバルブコアの斜視図である。
【図５Ａ】図５のバルブコアの他の斜視図である。
【図５Ｂ】図５のバルブコアの断面図である。
【図６】本発明の一実施例に係る位置決め部材の斜視図である。
【図６Ａ】本発明の一実施例に係る位置決め部材の断面図である。
【図６Ｂ】本発明の一実施例に係る位置決め部材の正面図である。
【図７】本発明の一実施例に係る内側バルブシートの斜視図である。
【図７Ａ】図７の内側バルブシートの断面図である。
【図７Ｂ】図７ＡのＡ部の拡大図である。
【図８】本発明の一実施例に係るバルブステムとバルブの分解斜視図である。
【図８Ａ】本発明の一実施例に係る位置決め部材が取り付けられるバルブの斜視図である。
【図８Ｂ】図８Ａのバルブ本体の断面図である。
【図８Ｃ】本発明の一実施例に係る位置決め部材と、駆動部材と、バルブステムが取り付けられるバルブ本体の断面図である。
【図９】本発明の一実施例に係るバルブであり、本発明のバルブの閉じられる過程中の伝達関係を示す、バルブが開いている状態である断面図である。
【図９Ａ】本発明の一実施例に係るバルブであり、本発明のバルブの閉じられる過程中の伝達関係を示す、バルブが開いている状態である斜視図である。
【図１０】本発明の一実施例に係るバルブであり、本発明のバルブの閉じられる過程中の第１伝達関係を示す断面図である。
【図１０Ａ】本発明の一実施例に係るバルブであり、本発明のバルブの閉じられる過程中の第１伝達関係を示す斜視図である。
【図１１】本発明の一実施例に係るバルブであり、本発明のバルブの閉じられる過程中の第２伝達関係を示す断面図である。
【図１１Ａ】本発明の一実施例に係るバルブであり、本発明のバルブの閉じられる過程中の第２伝達関係を示す斜視図である。
【図１２】本発明の一実施例に係るバルブであり、本発明のバルブの閉じられる過程中の第２伝達関係を示す断面図である。
【図１２Ａ】本発明の一実施例に係るバルブであり、本発明のバルブの閉じられる過程中の第２伝達関係を示す斜視図である。
【図１３】本発明の一実施例に係るバルブであり、本発明のバルブの閉じられる過程中の第３伝達関係を示す断面図である。
【図１３Ａ】本発明の一実施例に係るバルブであり、本発明のバルブの閉じられる過程中の第３伝達関係を示す斜視図である。
【発明を実施するための形態】
【００３２】
以下、本発明の目的、特徴および利点をよりよく理解するために、図面を参照して本発明の好適な実施例について詳細に説明する。図面に示される実施例は、本発明の保護範囲を限定することを意図するものではなく、単に本発明の技術方案の本質的な精神を説明することを理解するべきである。
【００３３】
以下の説明では、開示された各実施例を説明する目的として、開示された各実施例を完全に理解するために、何らかの具体的な詳細を記載する。しかしながら、当業者は、これらの具体的な詳細の１つ或いは幾つかがない場合は、実施例を実施できることを認識するべきである。他の場合では、実施例の説明を不必要に曖昧にすることを避けるために、本出願に関連する周知のデバイス、構造、および技術は詳細に示されないか、または記載されない可能性がある。
【００３４】
文脈で特に必要とされない限り、明細書および請求の範囲を通して、「備える」という言葉とそのバリエーション、例えば「含む」や「有する」などの用語は、オープンであると理解するべきであり、「含む」の意味は「含むが、それに限定されない」と解釈されるべきである。
【００３５】
明細書全体にわたる「一つの実施例」または「一実施形態」への言及は、実施例に説明される特定の特点、構造、または特徴が少なくとも１つの実施例に含まれることを意味する。そのため、明細書全体の各箇所での「一つの実施例では」または「一実施形態では」の表現は、必ずしもすべてが同じ実施例を指しているわけではない。また、特定の特点、構造、または特徴が１つまたは複数の実施例で任意の方法で組み合わせることができる。
【００３６】
本明細書および添付の請求の範囲で使用されるように、単数形「一」、「当該」および「前記」は、文脈がそうでないことを明確に記載しない限り、複数の指示対象も含む。「または」という用語は、文脈がそうでないことを明確に示さない限り、「および／或いは」を含む意味で一般的に使用されることである。
【００３７】
図１および図２に示すように、バルブ１００は、バルブ本体１０、バルブコアセンブリ２０、バルブステム３０、ハンドル４０、外側バルブシート５０、内側バルブシート６０、フランジ７０、およびカバー８０を含む。バルブコアセンブリ２０は、バルブコア２１と、駆動部材２２と、弾性部材２３と、位置決め部材２４とを含み、バルブコアセンブリ２０は、バルブ本体１０内に取り付けられ、バルブコア２１はバルブ本体１０にヒンジ結合される。外側バルブシート５０は、バルブ本体１０とカバー８０との間に設けられている。内側バルブシート６０は、バルブコア２１とバルブ本体１０との間に配置され、閉状態にあると、内側バルブシートはバルブコア、バルブ本体および内側バルブシートの間に形成されるスペースが少なくとも部分的に充填されるおよび／または完全に密閉されているようにバルブコアに嵌め合い。これによって、バルブのバルブコア、バルブ本体、および内側バルブシートの間のスペースに残る液体は減少し、さらには排除され、これについては、以下でさらに詳しく説明します。カバー８０は、バルブ本体１０の出口端に設けられている。フランジ７０は、バルブ本体１０の入口端に設けられている。バルブ本体の入口端と出口端の間に流路が形成される。流路は、入口端から出口端まで延びる軸線を有する。ハンドル４０には駆動ギア４１が設けられ、バルブステム３０には従動ギア３１が設けられており、駆動ギア４１は従動ギア３１に噛み合い、ハンドル４０の回転機能によりバルブステム３０を駆動して回転させることができる。
【００３８】
以下は、図３から図６Ｂを参照して、本願の一つの実施例によるバルブコアアセンブリを説明する。
【００３９】
図３、図４、図４Ａに示すように、駆動部材２２には、吊りテーブル２２１、ロックカム２２２、コントロールカム２２３、及び第１バルブステム取付穴２２４が設けられている。ここで、制御カム２２３は、駆動部材２２の中央部に配置され、駆動部材を回転させることによって位置決め部材をスライド移動させるように、位置決め部材２４に設けられたカム嵌め合い面２４１と嵌めあうために使用される。吊りテーブル２２１は、コントロールカム２２３の両側に設けられており、バルブコア２１の吊りテーブル嵌め合い面２１３に合わせることで、バルブの開放を実現するために使用される。ロックカム２２２は、吊りテーブル２２１の後ろに配置され、バルブコア２１のロック突起２１４と嵌め合うことで、第３の伝達関係を実現するために使用される。第１バルブステム取付穴２２４は、駆動部材２２を貫通して形成されており、バルブステム３０を第１バルブステム取付穴２２４内に差し入れることができることによって、バルブステム３０の回転により駆動部材２２を回転させることができ、以下、駆動部材２２の各部と、バルブコア２１と、位置決め部材２４との嵌め合い関係について詳細に説明する。
【００４０】
図３、図５から図５Ｂに示すように、バルブコア２１にガイド部２１０が設けられている。好ましくは、ガイド部２１０は、バルブコア２１を横方向に貫通する穴である。位置決め部材２４をガイド部２１０内に差し入れ、ガイド部２１０内をスライドすることができる。さらに、バルブコア２１には、接続部２１１が設けられており、接続部２１１は、ガイド部２１０の一端のバルブコア２１の縁から外に一体に伸び出て形成されている。接続部２１１の中間部には、第１溝２１２が設けられている。ロック突起２１４は、第１溝２１２の底部に設けられている。第１溝２１２の両側には、第２のバルブステム取付穴２１５が設けられている。吊りテーブル嵌め合い面２１３は、第１溝２１２の後部の両側に設けられている。第１溝２１２は、駆動部材２２を取り付けるために使用される。ロック突起２１４は、駆動部材２２のロックカム２２２と嵌め合うために使用される。第２のバルブステム取り付け穴２１５は、バルブステム３０を取り付けるために使用される。吊りテーブル嵌め合い面２１３は、吊りテーブル２２１のコントロールカム２２３と嵌め合うために使用される。第２のバルブステム取付穴２１５の直径は、バルブステム３０の外径よりも大きいので、バルブステム３０は、第２のバルブステム取付穴２１５内で回転することができ、これについて、以下に詳細に説明する。
【００４１】
図５Ｂに示すように、第２シール部２１６および第３シール部２１７は、バルブコア２１のガイド部が設けられている側とは反対側の側面、すなわち内側バルブシート６０に面する側面２６に設けられている。第２シール部２１６は、第３シール部２１７よりも径方向外側にある。バルブが閉じた状態で、第２シール部２１６は内側バルブシート６０に設けられたメインシール部６０２と嵌め合い、かつ、第３シール部２１７は内側バルブシート６０上の第１シール部６０４と嵌め合い、これについては以下でさらに説明する。
【００４２】
図３、図６、図６Ａおよび図６Ｂに示すように、位置決め部材２４は、全体として円柱形状を呈する。位置決め部材２４の一端には、突出ブロック２４０が設けられている。突出ブロック２４０の端部には、カム嵌め合い面２４１が設けられている。カム嵌め合い面２４１は、駆動部材２２のコントロールカム２２３と接触していることによって、位置決め部材２４は、駆動部材２２の回転によりバルブコア２１に対して相対移動する。突出ブロックの両側にフランジ２４２が設けられています。フランジ２４２の突出ブロックに面する側には、駆動部材２２のロックカム２２２を逃がすための弧面２４３が設けられている。位置決め部材２４には、制限段差２４４がさらに設けられており、位置決め部材２４がバルブコア２１のガイド部２１０内を移動する場合に、制限段差２４４は弾性部材２３を横方向に制限することによって、弾性部材２３は位置決め部材２４に駆動部材２２に向ける力を加え、弾性部材２３が位置決め部材２４を駆動してバルブ本体の外に退出してロック解除できる。
【００４３】
本実施例では、ガイド部２１０は、バルブコア２１に配置される一つ径方向の貫通穴であり、当業者は、ガイド部２１０が他の方式で設置されてもよいことを理解できる。
【００４４】
図３に示すように、取り付ける場合に、弾性部材２３は位置決め部材２４にスリーブされ、一端で制限段差２４４によって横方向に制限され、駆動部材２２はバルブコア２１の第１溝２１２内に取り付けられ、駆動部材２２の第１のバルブステム取り付け穴２２４を第２バルブステム取り付け穴２１５と位置合わせし、バルブステム３０は片側における第２バルブステム取り付け穴２１５および第１のバルブステム取り付け穴２２４を通過し、次に反対側における第２バルブステム取り付け穴２１５を通過することによって、バルブコア２１と駆動部材２２を一緒にヒンジ結合し、バルブコア２１のガイド部２１０に位置決め部材２４を移動可能に制限し、バルブステム３０は駆動部材２２に固定接続されており、つまり、バルブステム３０は駆動部材２２の第１バルブステム取り付け穴２２４内で回転できず、かつバルブステム３０はバルブコア２１の第２バルブステム取り付け穴２２４内で回転でき、それによりバルブステム３０の回転によって駆動部材２２を駆動して回転させることができ、バルブステム３０の回転によって、駆動部材２２を回転させ、位置決め部材２４をバルブコア２１に対して移動させる。
【００４５】
図７から図７Ｂは、本発明の一つの実施例に係る内側バルブシート６０の構造図を示している。図７および図７Ａに示すように、内側バルブシート６０は、環状本体６０１と、環状本体の内周面から内側に延びるシール構造６０３とを有する。シール構造６０３は、環状本体の内周面全体に沿って径方向内側に延びており、弾性部６０４と第１シール部６０５とが順に設けられている。好ましくは、シール構造６０３は、環状本体６０１の内周面から一体的に延びる。弾性部６０４は、環状本体よりも厚みが小さい環状体である。第１シール部６０５は、弾性部６０４の末端からバルブコアに向かって突出しているため、図７Ａの断面図に示すように、第１シール部は大体フック形状を呈する。
【００４６】
内側バルブシート６０にはさらに、メインシール部６０２が設けられている。メインシール部６０２は、環状本体６０１の天面の内側に位置している。ここで、環状本体の天面とは、環状本体の第１シール部６０５の突出方向と同じ側の面をいう。
【００４７】
前記バルブが閉じた状態で、メインシール部６０２および第１シール部６０５は、バルブコア２１の内側バルブシート６０に面する側面、つまりバルブコアの第２シール部２１６および第３シール部２１７をそれぞれ押圧する。
【００４８】
図８から図８Ｃは、バルバロッド、バルバ本体、位置決め部材、および駆動部材の構造および取り付け図を示している。図８から図８Ｃに示すように、バルブ本体１０内には、バルブコア取り付け部１１が設けられている。バルブコア取り付け部１１には、第２の溝１２が設けられている。第２溝１２の両側には、バルブステム位置決め孔１３が設けられており、バルブコア２１の接続部２１１は、第２溝１２内に取り付けられ、バルブステム３０は、バルブ本体１０の片側のバルブステム位置決め孔１３を通ってから接続部２１１の片側の第２バルブステム取付穴２１５を通り、駆動部材２２の第１バルブステム取付穴２２４を通り、接続部２１１の他側の第２バルブステム取付穴２１５を通り、最後に、バルブコア２１をバルブ本体１０に回転可能に接続するように、バルブ本体１０の他側のバルブステム位置決め穴１３に通り抜ける。
【００４９】
図８から図８Ｃに示すように、バルブ本体１０の内側壁には、位置決め部材ロック部１４がさらに設けられており、位置決め部材ロック部１４は一つの溝である。位置決め部材ロック部１４は、位置決め部材２４を鉛直方向に制限するために使用されるので、位置決め部材２４が所定の位置に伸ばされると、位置決め部材２４は位置決め部材ロック部１４によってロックされ、これについては、以下で詳しく説明する。
【００５０】
図９から図１３Ａは、閉じられる過程中の本発明のバルブの伝達関係図を示す。そのうち、図９および図９Ａはバルブの開状態を示し、図１０および図１０Ａは第１伝達関係を示し、図１１から図１２Ａは第２伝達関係を示し、図１３および図１３Ａは第３伝達関係を示す。
【００５１】
図９から図１０Ａに示すように、バルブが開状態から閉状態に変化すると、駆動部材２２は、弾性部材２３の弾性作用で位置決め部材２４と嵌め合って相対的静止的な第１伝達関係を形成し、バルブコア２１を回転させてバルブコア２１を閉じる。第１伝達関係では、位置決め部材２４は、バルブコア２１に力を加えて、バルブコア２１を閉じる。
【００５２】
図１１から図１２Ａに示すように、第１伝達関係が終了すると、駆動部材２２および位置決め部材２４は、第１伝達関係から第２伝達関係に切り替えられ、駆動部材２２は、位置決め部材２４を押して、位置決め部材２４をバルブコア２１に対して相対移動をし、第２の伝達関係では、駆動部材２２におけるコントロールカム２２３が位置決め部材２４におけるカム嵌め合い面２４１と嵌め合うことによって、位置決め部材２４は、コントロールカム２２３の下向きの回転によりバルブコア２１のガイド部２１０内で弾性部材２３の弾性力に抗して、位置決め部材２４の前端をバルブ本体１０の位置決め部材ロック部１４の下に差し入れるまで、横方向に移動し、図１２に示すように、この場合に、コントロールカム２２３のエッジはバルブコア２１の第１溝２１２の底部と接触する。
【００５３】
図１３および図１３Ａに示すように、第２の伝達関係が終了すると、駆動部材２２および位置決め部材２４は、第２伝達関係から駆動部材２２およびバルブコア２１の間の第３伝達関係に切り替えられ、駆動部材２２は位置決め部材２４を張り出す状態に制御し、位置決め部材２４は常にバルブ本体１０と嵌め合う状態にあり、駆動部材２２はバルブコア２１を押してバルブの径方向にスクイーズ運動を行い、それによりバルブコアをシールロックする。第３伝達関係では、駆動部材２２はバルブステム３０の駆動で同期して回転し、駆動部材２２における制御カムは、常に位置決め部材２４を伸長状態に制御し、駆動部材２２におけるロックカム２２２およびバルブコア２１のロックカム２１４は、コントロールカム２２２によってロック突起２１４に力を加えるように嵌め合うことによって、ロックカム２２２の作用で、駆動部材２２は、バルブコア２１および内側バルブシート６０を、バルブ直径の方向に押してスクイズ運動を行い、この運動中で、位置決め部材２４は常に張り出す状態にあり、バルブステム３０が所定の位置に回転するまで、バルブ本体１０の位置決め部材ロック部１４と支点回転運動を形成し、バルブコア２１がロックされる。
【００５４】
バルブ開放プロセスの伝達関係は、バルブ閉鎖プロセスの伝達関係と反対であることを、本明細書で詳細に説明しなくても、当業者は、容易に理解することができる。バルブ開放プロセスでは、駆動部材２２は、駆動部材２２の吊りテーブル２２１とバルブコア２１における吊りテーブル嵌め合い面２１３との嵌め合いにより、力の伝達を実現し、すなわち吊りテーブル２２１により吊りテーブル嵌め合い面２１３に力を加えることによって、バルブコア２１を開くことに注意する必要がある。
【００５５】
本発明において、好ましい態様として、位置決め部材は位置決めロッドであり、弾性部材は圧縮ばねである。しかし、当業者は、位置決め部材が他の形態を採用してもよく、弾性部材が例えばゴム栓などの他の弾性部材を採用してもよく、位置決め部材と弾性部材とが一体に形成されてもよいことを理解でき、下記の実施例を参照してください。
【００５６】
上述の実施例では、位置決め部材と弾性部材とは独立した部材である。しかし、他の実施形態では、位置決め部材と弾性部材とが一体化されてもよく、この場合では、位置決め部材に弾性部材を設け、例えば位置決め部材の外周に弾性部材とする弾性突出リブを設けることによって、位置決め部材がバルブコアのガイド部に設置されると、弾性突出リブがガイド部の一端とが嵌め合い、ガイド部の一端が弾性突出リブに力を加えることで、位置決め部材のロックを解除する。
【００５７】
別の実施例では、位置決め部材に溝を設け、溝内に弾性部材を設け、ガイド部内にストッパー部（ガイド部の上部側壁から下に張り出すストッパーピンやストッパーポストなど）を設け、ストッパー部を溝の中に差し入れて弾性部材を圧縮することによって、位置決め部材が駆動部材に対して相対移動すると、弾性部材はストッパーの作用で位置決め部材に弾性力を加えて、位置決め部材のロックを解除してもよい。
【００５８】
本発明を説明するために、上記のバルブは蝶番式バルブであるが、本発明は、内側バルブシートとバルブコアとの間のシール原理および関連構造、特に内側バルブシートの構造をボールバルブなどの他の発明に適用することができると理解されるべきであり、特に、このようなバルブのバルブコアがバルブ本体に対して内側バルブシートを押すスクイーズ運動ができ、バルブ本体の流路の軸線に沿っている移動成分を持つ。そのようなバルブの例は、授権公告ＣＮ１０３０１６７７６Ｂで発行された中国特許を参照し、その内容は参照によりその全体が本明細書に組み込まれる。
【００５９】
本発明のバルブは、バルブ本体、内側バルブシートおよびバルブコアの間に形成された隙間をシールするおよび／または充填するためのシール構造を備えることによって、バルブコア、バルブ本体および内側バルブシートの間のスペース内の残留液体を低減または排除さえでき、且つシール効果が良くなる。
【００６０】
必要に応じて、実施例の態様を修正して、様々な特許、出願、および刊行物の態様、特徴、および概念を採用することによって、別の実施例を提供することができる。
【００６１】
上記の詳細な説明を考慮して、これらおよび他の変更を実施例に加えることができる。一般的に、請求項では、使用される用語は明細書および請求の範囲に開示された特定の実施例に限定されると考えられるべきではなく、これらの請求の範囲が享受するすべての同等範囲とともにすべての可能な実施例を含むと理解されるべきである。
【図１】
2020529562.tif 000003
【図２】
2020529562.tif 000004
【図３】
2020529562.tif 000005
【図４】
2020529562.tif 000006
【図４Ａ】
2020529562.tif 000007
【図５】
2020529562.tif 000008
【図５Ａ】
2020529562.tif 000009
【図５Ｂ】
2020529562.tif 000010
【図６】
2020529562.tif 000011
【図６Ａ】
2020529562.tif 000012
【図６Ｂ】
2020529562.tif 000013
【図７】
2020529562.tif 000014
【図７Ａ】
2020529562.tif 000015
【図７Ｂ】
2020529562.tif 000016
【図８】
2020529562.tif 000017
【図８Ａ】
2020529562.tif 000018
【図８Ｂ】
2020529562.tif 000019
【図８Ｃ】
2020529562.tif 000020
【図９】
2020529562.tif 000021
【図９Ａ】
2020529562.tif 000022
【図１０】
2020529562.tif 000023
【図１０Ａ】
2020529562.tif 000024
【図１１】
2020529562.tif 000025
【図１１Ａ】
2020529562.tif 000026
【図１２】
2020529562.tif 000027
【図１２Ａ】
2020529562.tif 000028
【図１３】
2020529562.tif 000029
【図１３Ａ】
2020529562.tif 000030
【国際調査報告】
2020529562.tif 000031
2020529562.tif 000032
2020529562.tif 000033
2020529562.tif 000034